(57)【要約】【課題】燃えやすく環境に良い段ボール製棺でありながらも、遺体を収容して運搬する棺として十分な強度を有すると共に湿気による反りの発生も防止することができ、外観上の品位も損なわず商品価値を高めた段ボール製棺を提供する点にある。【解決手段】  開口２Ａを有する棺本体２と開口２Ａを塞ぐ蓋３とよりなる段ボール製棺１であって、段ボール材により、底板４Ｃ、底板４Ｃの周縁に立設される一対の側面板４Ａ、４Ａ及び一対の妻板４Ｂ、４Ｂを形成し、箱状態で外観に表われる段ボール材の全ての切断面を補強帯板６、７で被覆してなる棺本体２と、所定形状に形成された段ボール材の周縁を補強帯板８で被覆してなる蓋３とを備え、補強帯板６、７、８が段ボール材よりも薄く、且つ、段ボール材よりも反り難いものとした。【選択図】図２
2014200579.tif 000002
【特許請求の範囲】
【請求項１】
開口を有する棺本体と前記開口を塞ぐ蓋とよりなる段ボール製棺であって、
段ボール材により、底板、該底板の周縁に立設される一対の側面板及び一対の妻板を形成し、箱状態で外観に表われる段ボール材の全ての切断面を補強帯板で被覆してなる前記棺本体と、
所定形状に形成された段ボール材の周縁を補強帯板で被覆してなる前記蓋とを備え、
前記補強帯板が前記段ボール材よりも薄く、且つ、前記段ボール材よりも反り難いものであることを特徴とする段ボール製棺。
【請求項２】
前記補強帯板を、長手方向にのびる断面視Ｖ字状のＶ溝に沿って断面視略Ｌ字状又は略コ字状に折り曲げてなる請求項１記載の段ボール製棺。
【請求項３】
前記一対の前記側面板及び一対の前記妻板を、一枚の段ボール材に対する曲げ加工のみで形成してなる請求項１又は２記載の段ボール製棺。
【請求項４】
前記側面板及び前記妻板と前記補強帯板とを接着テープ又は接着剤を用いて接着してなる請求項１乃至３の何れか１項記載の段ボール製棺。
【請求項５】
前記段ボール材が複両面段ボール又は複々両面段ボールにより形成されてなる請求項１乃至４の何れか１項記載の段ボール製棺。
【請求項６】
矩形状の底板と該底板の四辺の外側に折り目を介して設けられた一対の側面板及び一対の妻板とを有する棺本体シートと、該棺本体シートによって形成される棺本体に対応した蓋を形成する蓋シートとを段ボール材で形成するシート形成工程と、
前記棺本体シートよりも薄い帯状板に略Ｖ字状のＶ溝を設けて断面視略Ｌ字状に折り曲げることで形成した第一補強帯板を、箱形状に折り曲げた前記棺本体シートの前記側面板と前記妻板との連結角部に固定すると共に、前記棺本体シートよりも薄い帯状板に略Ｖ字状のＶ溝を設けて断面視略コ字状に折り曲げることで形成した第二補強帯板を、前記側面板及び前記妻板の上辺により形成される開口に固定する棺本体組立て工程と、
前記蓋シートよりも薄い帯状板に略Ｖ字状のＶ溝を設けて断面視略コ字状に折り曲げることで形成した第三補強帯板を、前記蓋シートの周縁に固定する蓋形成工程と、
を含むことを特徴とする段ボール製棺の製造方法。
【発明の詳細な説明】
【技術分野】
【０００１】
本発明は、燃えやすく環境に良い段ボール製棺に関し、更に詳しくは、遺体を収容して運搬する棺として十分な強度を有すると共に、外観上の品位も損なわず商品価値を高めた、簡易な構成の段ボール製棺に関するものである。
【背景技術】
【０００２】
環境保全への意識が高まりつつある社会にあって、遺体を収容し共に焼却する棺に関し木製の棺よりも燃えやすく環境に良い段ボール製の棺が注目されつつある。しかし、段ボールは物品を簡易梱包するために使用する安価なものといったイメージが強く、このような段ボールをそのまま棺に使用すると、品位が著しく低下するといった課題があった。
このため、段ボール製棺の外観の向上を図るものとして以下のようなものが提案されている。
【０００３】
まず、段ボール板の板面に複数のＶ溝を形成する工程、段ボール板をＶ溝に沿って折り曲げて箱状に組み立てる工程、面取り板、妻板および側板等を接着する工程を含む製造方法により製造される段ボール製棺がある（例えば、特許文献１。）。
【０００４】
この段ボール製棺は、段ボールの本体部分に複数のＶ溝を設け、これに沿って折り曲げることで全体形状を形成するものであり、これにより、折り曲げた角を綺麗な直角とすることができ、棺全体として品位の向上を図ることができるものである。
【０００５】
しかし、一般に遺体の収容、運搬を行なうために必要な十分な強度を確保するため段ボール製棺に使用される、厚みを有する強化段ボール材は、湿気や継続的な外的付加による反りが生じ易く一旦このような反りが生じると元のフラットな状態に戻すことが難しい。このため、特許文献１のような段ボール製棺は、Ｖ溝の加工前に反りが生じると機械によるＶ溝加工が困難となり、また、Ｖ溝の加工後に反りが生じると箱形状を形成できない可能性があり、仮に形成できたとしても全体形状が歪んだものとなり遺体を入れる棺として相応しくないものとなるため、その製造や保管、運搬時には湿気等の反りの要因には常に細心の注意を払う必要があるといった問題があった。
また、厚みを有する強化段ボールに直角に折り曲げるためのＶ溝を形成しようとすると、カットする部分が大きくなるため多くの粉塵が巻き散ることとなる。このため、その作業や後処理が煩雑となり製造コストも嵩むといった問題もあった。
さらに、本体部分の底板の周縁は、運搬時に大きな力を受けやすい箇所であるにも関わらず、Ｖ溝を設けることで強度が著しく低下し、遺体の重量や運搬方法によっては棺の破壊等の大きな問題を生じるおそれがあった。
【０００６】
また、紙製棺として、両側壁、両妻壁及び底壁よりなる布によって被覆された棺箱と、上面壁とその周りに設けられた蓋縁よりなる布で被覆された蓋体と、これらを印籠形式に嵌合することが出来る筒体との組み合わせよりなる紙製棺であって、棺箱の両側壁、両妻壁及び底壁は夫々貼着片を介して相互に連結されており、側壁は外側板、中芯側板及び中芯化粧板より形成され、妻壁は外妻板、中芯妻板及び中芯化粧板より形成され、底壁は外底板及び化粧底板より形成され、前記蓋体の外周寸法が棺箱の外周寸法と同じく面一に形成されているものもある（例えば、特許文献２。）。
【０００７】
この紙製棺は、外表面全面を布で被覆することで、丈夫で体裁が良く高級感を与えて商品価値を高めたものである。
【０００８】
しかし、湿気による反り防止のために棺箱及び蓋体の外表面全面を確実に被覆する必要があり製造コストが嵩み、また、布によって被覆するだけのものあるため外的付加による反りを防止することができず、さらに、上端部や角部等の強度を要する箇所について十分な強度を確保することが困難であるという問題があった。
【先行技術文献】
【特許文献】
【０００９】
【特許文献１】特許第４８０８５８２号公報
【特許文献２】特開平１０−２９５７４７号公報
【発明の概要】
【発明が解決しようとする課題】
【００１０】
本発明が前述の状況に鑑み解決しようとするところは、燃えやすく環境に良い段ボール製棺でありながらも、遺体を収容して運搬する棺として十分な強度を有すると共に湿気による反りの発生も防止することができ、外観上の品位も損なわず商品価値を高めた段ボール製棺を提供する点にある。
【課題を解決するための手段】
【００１１】
本発明に係る段ボール製棺は、前記課題解決のために、開口を有する棺本体と前記開口を塞ぐ蓋とよりなる段ボール製棺であって、段ボール材により、底板、該底板の周縁に立設される一対の側面板及び一対の妻板を形成し、箱状態で外観に表われる段ボール材の全ての切断面を補強帯板で被覆してなる前記棺本体と、所定形状に形成された段ボール材の周縁を補強帯板で被覆してなる前記蓋とを備え、前記補強帯板が前記段ボール材よりも薄く、且つ、前記段ボール材よりも反り難いものであることを特徴とする段ボール製棺を特徴とするものである。
【００１２】
ここで、前記補強帯板を、長手方向にのびる断面視Ｖ字状のＶ溝に沿って断面視略Ｌ字状又は略コ字状に折り曲げてなると好ましい。
【００１３】
また、前記一対の前記側面板及び一対の前記妻板を、一枚の段ボール材に対する曲げ加工のみで形成してなるとより好ましい。
【００１４】
さらに、前記側面板及び前記妻板と前記補強帯板とを接着テープ又は接着剤を用いて接着してなるとより好ましい。
【００１５】
さらにまた、前記段ボール材が複両面段ボール又は複々両面段ボールにより形成されてなるものとしてもよい。
【００１６】
また、本発明に係る段ボール製棺の製造方法は、矩形状の底板と該底板の四辺の外側に折り目を介して設けられた一対の側面板及び一対の妻板とを有する棺本体シートと、該棺本体シートによって形成される棺本体に対応した蓋を形成する蓋シートとを段ボール材で形成するシート形成工程と、前記棺本体シートよりも薄い帯状板に略Ｖ字状のＶ溝を設けて断面視略Ｌ字状に折り曲げることで形成した第一補強帯板を、箱形状に折り曲げた前記棺本体シートの前記側面板と前記妻板との連結角部に固定すると共に、前記棺本体シートよりも薄い帯状板に略Ｖ字状のＶ溝を設けて断面視略コ字状に折り曲げることで形成した第二補強帯板を、前記側面板及び前記妻板の上辺により形成される開口に固定する棺本体組立て工程と、前記蓋シートよりも薄い帯状板に略Ｖ字状のＶ溝を設けて断面視略コ字状に折り曲げることで形成した第三補強帯板を、前記蓋シートの周縁に固定する蓋形成工程とを含むものとすることができる。
【発明の効果】
【００１７】
本発明に係る段ボール製棺によれば、段ボール材による簡易な構成としながらも段ボール材の切断面が外観上表われないものとすることで、段ボール材のイメージを有さず品位ある棺とすることができ、商品価値を高くすることが可能となる。
また、段ボール材の切断面を、反り難い素材で形成された補強帯体で被覆して補強することで反りを防止することができると共に、段ボール材の切断面である端辺を補強することとなり強度が必要な箇所を効率良く補強することができる。
【００１８】
前記補強帯板を、長手方向にのびる断面視Ｖ字状のＶ溝に沿って断面視略Ｌ字状又は略コ字状に折り曲げてなるものによれば、折り曲げた角が綺麗に形成されるため、外観のデザイン性を向上することができる。
また、棺本体や蓋を構成する各辺に略Ｌ字状又は略コ字状に折り曲げた補強帯体を固定するため、端辺を含めたこれらの近傍を一枚板で補強することで強度を更に向上することができる。
さらに、Ｖ溝により補強帯板の内側も綺麗に折り曲げることで、補強帯板と段ボール材との接触面積を広くし、これらをより高い強度で接着することができる。
【００１９】
前記一対の前記側面板及び一対の前記妻板を、一枚の段ボール材に対する曲げ加工のみで形成してなるものによれば、棺本体を一枚の段ボール材を折り曲げることのみによって形成したため、段ボール材にＶ溝等の切目がなく、製造が容易となると共に段ボール材を構成する各シートを切断しないため折り曲げ部の強度を向上することができる。
【００２０】
前記側面板と前記妻板とを接着テープ又は接着剤を用いて接着してなると、接着テープ又は接着剤によって棺本体を組み立てるため、例えば未使用の棺の保管や運搬についてはシートの状態で行ない、使用直前に現場で迅速に組み立てることができ、これにより商品管理のコストを低廉化することが可能となる。
【００２１】
前記段ボール材が複両面段ボール又は複々両面段ボールにより形成されてなると、強度をより高く構成することができる。
【図面の簡単な説明】
【００２２】
【図１】本発明の実施形態に係る段ボール製棺の構成を示す斜視図。
【図２】本発明の実施形態に係る段ボール製棺の棺本体及び蓋の構成を示す斜視図。
【図３】本発明の実施形態に係る段ボール製棺の棺本体の部品構成を示す分解斜視図。
【図４】本発明の実施形態に係る段ボール製棺の棺本体の第一補強帯板の組付方法を示す斜視図。
【図５】本発明の実施形態に係る段ボール製棺の棺本体の第二補強帯板の組付方法を示す斜視図。
【図６】本発明の実施形態に係る段ボール製棺の蓋の部品構成を示す分解斜視図。
【図７】本発明の実施形態に係る段ボール製棺の蓋の部品の組付方法を示す斜視図。
【図８】本発明の実施形態に係る段ボール製棺の蓋の完成状態を示す斜視図。
【図９】本発明の実施形態に係る段ボール製棺の第一補強帯板及び第三補強帯板の構成を示す説明図であり、（ａ）はシート状態、（ｂ）は折り曲げた状態を示す側面図である。
【図１０】本発明の実施形態に係る段ボール製棺の第二補強帯板の構成を示す説明図であり、（ａ）はシート状態、（ｂ）は折り曲げた状態を示す側面図である。
【図１１】本発明の実施形態に係る段ボール製棺の棺本体の角部の構成を示す断面斜視図。
【発明を実施するための形態】
【００２３】
次に、本発明の実施の形態を添付図面に基づき詳細に説明するが、本発明は、添付図面に示された形態に限定されず特許請求の範囲に記載の要件を満たす実施形態の全てを含むものである。
本明細書において、波形に成形した中芯原紙の片面又は両面にライナを貼り合せたものや板材を多重構造としたものその他これらに類する紙材を、段ボール材と称する。また、段ボール材の切断面とは、段ボール材の周縁等の、中芯原紙を視認しうる面をいい、実際に切断されたものであるか否かを問題とせず、切断された面ではなくとも中芯原紙が表われていることで切断されたように見える面をいうものとする。
【００２４】
本実施形態に係る段ボール製棺１は、図１及び図２に示すように、開口２Ａを有する棺本体２と開口２Ａを塞ぐ蓋３とよりなるペット用の段ボール製棺１であって、段ボール材により、底板４Ｃ、底板４Ｃの周縁に立設される一対の側面板４Ａ、４Ａ及び一対の妻板４Ｂ、４Ｂを形成し、箱状態で外観に表われる段ボール材の全ての切断面を補強帯板６（６Ａ、６Ｂ）、７（７Ａ、７Ｂ）で被覆してなる棺本体２と、所定形状に形成された段ボール材の周縁を補強帯板８（８Ａ、８Ｂ）で被覆してなる蓋３とを備えたものである。
ここで、段ボール製棺１は犬や猫等の小動物のペット用のものであるが、これに限定されず他のペットや人用のものとして各寸法を設定して製造し使用することができる。
【００２５】
図３に示すように、棺本体２は、段ボール材で構成された棺本体シート４と、板紙で構成された四枚の第一補強帯板６Ａ、６Ａ、６Ｂ、６Ｂ及び四枚の第二補強帯板７、７、・・・とよりなるものである。このように異なる素材を組み合わせることによって必要な強度を得ると共に外観のイメージの向上を図ることを可能としている。
【００２６】
棺本体シート４は、矩形状の底板４Ｃと底板４Ｃの四辺の外側に折り目を介して設けられた一対の側面板４Ａ、４Ａ及び一対の妻板４Ｂ、４Ｂとを有する。各折り目は全て曲げ工程のみで形成され、切目等は設けられていない。各辺の寸法は収容対象や焼却炉等の条件に合わせて選択することができる。
棺本体シート４は、複両面段ボールで形成されている。複両面段ボールとは、両面段ボールの片側に、片面段ボールの段頂を貼り合わせたものであり、耐荷重性に優れた性質を有する。このため、遺体を支持する棺本体２の底板４Ｃを含め、側面板４Ａ、４Ａ及び妻板４Ｂ、４Ｂに十分な耐荷重性を備えるものとすることで安心感のある棺となっている。
棺本体シート４には、この他にも両面段ボールや複々両面段ボールその他これに類する紙材を使用することができる。
【００２７】
また、一対の側面板４Ａ、４Ａ及び一対の妻板４Ｂ、４Ｂは、底板４Ｃの外側に折り目Ｆ、Ｆ、・・・を介して設けられたものであり、これらは一枚の複両面段ボールにより形成され、且つ、折り目Ｆ、Ｆ、・・・が単に曲げ加工のみで形成された、切目等を有さないものであるため、これらの間の連結強度も高いものとして構成されている。このような構成により棺本体に必要な強度を容易に確保することができる。
このことは、少なくとも二枚の外側シートと一枚の波状シートとよりなる段ボール材を用いる段ボール製棺においては特に顕著な効果を奏する。つまり、段ボールにＶ溝等の切目を入れると三枚の構成材のうち一枚又は二枚の構成材を切断することとなり、強度を著しく低下させることとなるが、曲げ加工のみであればこのような著しい強度低下が生じることは無く、遺体等の重量に十分に耐えることができる。
【００２８】
図４及び図５には棺本体２の組立て方法を示す。
棺本体２を組み立てるためには、まず、図４に示すように棺本体シート４を折り目Ｆに沿って折り曲げることで、底板４Ｃの周囲に側面板４Ａ、４Ａ及び妻板４Ｂ、４Ｂを立設する。
次に、箱状態となった棺本体シート４の側面板４Ａ、４Ａの各上辺に、略コ字状に折り曲げた、側面板４Ａと略同一寸法を有する第一補強帯板６Ａ、６Ａを貼着して固定すると共に、妻板４Ｂ、４Ｂの各上辺に、同じく略コ字状に折り曲げた、妻板４Ｂと略同一寸法を有する第一補強帯板６Ｂ、６Ｂを貼着して固定する。このとき、図示するように第一補強帯板６Ａ、６Ｂの両端部に、隣接する他の第一補強帯板６Ｂ、６Ａに重ならないように切欠きを設けることで、棺本体２の開口２Ａの全てを補強しつつ、面一に形成することができる。
最後に、図５に示すように側面板４Ａと妻板４Ｂとの各接合部分に、略Ｌ字状に折り曲げた、４枚の第二補強帯板７、７、・・・を貼着して固定する。ここで、第二補強帯板７は第一補強帯板６Ｂの下端から側面板４Ａ及び４Ｂの略下端までの寸法としているため、側面板４Ａと妻板４Ｂとの接合部分に表われる段ボールの切断面を全て覆うこととなり、棺として品位あるものとなっている。
【００２９】
蓋３は、図６に示すように、複両面段ボールにより形成された蓋シート５と、板紙で形成された第三補強帯板８Ａ、８Ｂ及び係合板９とよりなるものである。
棺本体２と同様に、複両面段ボールの切断面の全てを第三補強帯板８Ａ、８Ｂで被覆することで、全体として品位あるものとなっている。切断面である蓋シート５の周縁は、強度が最も不安である部分でもあるが、この部分全てに第三補強帯板８Ａ、８Ｂを固定することで十分な補強が可能となる。
また、この蓋シート５は棺本体シート４と同じく、複両面段ボール以外の段ボール材で構成することができ、例えば比較的軽量である両面段ボールを使用することで、蓋としての強度を確保しつつ、開閉を容易なものとするとともに全体重量についても軽量化することができる。
【００３０】
蓋の組立て方法は、図７及び８に示すように、蓋シート５の周縁に、各辺の長さと同一寸法を有する第三補強帯板８Ａ、８Ｂを、略コ字状に折り曲げた状態で固定し、これらの第三補強帯板８Ａ、８Ｂに対して二枚の係合板９、９を固定することとなる。
係合板９は、蓋シート５の対向する長辺に固定された二枚の第三補強帯板８Ａ、８Ａに跨るように固定され、その長さ寸法は、蓋シート５の短辺よりも少し短く、棺本体２の開口２Ａの短辺と同一長さで形成されているため、蓋３で棺本体２を閉めた状態では、係合板９、９が対応する棺本体２の開口２Ａに係合するため、棺本体２から蓋３が脱落することを防止することができる。
【００３１】
補強帯板６、７、８には、図９及び図１０に示すように、略コ字状又は略Ｌ字状に折り曲げるため、長手方向にのびるＶ溝が設けられている。Ｖ溝は補強帯板６、７、８を直角に折り曲げることができるものであれば、その角度や深さは特に限定されるものではないが、本実施形態では、図示するように左右４５度の切り込みを反対面近くまで入れることでより綺麗な直角形状を形成することができるものとしている。このＶ溝の形成は、補強帯板６、７、８が複両面段ボールよりも薄いものであるため、カットする箇所も小さく、形成の際の粉塵を少なくすることでＶ溝形成工程を簡易なものとすることができると共に、段ボール材の外側に固定してもその美感を低下させず持ち運びの邪魔になることもない。
また、補強帯板６、７、８は段ボール材よりも反りが生じ難いものであるため、加工前に生じた反りによって当該加工が不可能又は困難となることはなく、このような補強帯板６、７、８と段ボール材とが接着されることで更に反りに対する強度を向上することができ、棺としての美しい形状を長期間にわたり維持することができる。
【００３２】
第一補強帯板６及び第三補強帯板８には、略コ字状に折り曲げるための二本のＶ溝が設けられている（ａ）。これらのＶ溝に沿って各折り曲げ部が直角になるように板紙を折り曲げることで略コ字状に形成することができる（ｂ）。このように略コ字状とすることで、棺本体２の開口部２Ａや蓋３の周縁に強固に固定することができると共に、段ボール材の切断面に沿うように固定される補強帯板の存在により当該段ボール材の反りを防止するものとしている。また、これらは真直ぐな帯板状に形成されているため、棺本体に固定された状態では木材であるかのような印象を与えることも可能である。
【００３３】
第二補強帯板７には、略Ｌ字状に折り曲げるための一本のＶ溝が設けられている（ａ）。このＶ溝に沿って折り曲げ部が直角になるように板紙を折り曲げることで略Ｌ字状に形成することができる（ｂ）。このように略Ｌ字状とすることで、棺本体２の側面板４Ａ及び妻板４Ｂにより形成される角部に沿って固定することができる。
ここで、補強帯板６、７、８は、棺本体シート４や蓋シート５を形成する段ボール材よりも、薄く且つ反り難いものであればよく、本実施形態においては圧縮紙材を用いたがこれに限らず、他のもの例えば可燃性の合成樹脂製のものや木製のものを用いてもよく、例えば木製のものであれば段ボール材の表面にも木目の模様を施すことで外観を木製のものに似たものとすることができる。
【００３４】
図１１は棺本体２の角の一部分を切断した参考図であるが、複両面段ボールの切断面は、棺本体２の開口２Ａの端面と、側面板４Ａの妻板４Ｂとの接合部の端面のみに表われるが、これらの部分には第一補強帯板６Ａ、６Ｂ及び第二補強帯板７が固定されているため、当該切断面は箱形状では外観に表われないものとなる。
【００３５】
以上の説明においては、被付き本体及び蓋は簡易な長方体である場合を示したが、これらの形状はこのようなものに限定されるものではなく、中央部を上方に突出させた蓋を有するより立体的な形状や、平面視における各角にテーパを設けることで高級感のある形状やデザイン性の高い形状として構成してもよい。
また、補強帯板は少なくとも棺本体の段ボール材の切断面の全てを被覆するように棺本体に設ける必要があるが、これ以外にも設けても良く、例えば棺本体の底板と側面板及び妻板との接合部分にも略Ｌ字状に折り曲げた補強帯板を設けたものとすると、棺本体の底面を補強することができ、また、遺体を収容した状態で搬送する際に手で持ち易いものとすることができる。
【００３６】
底板、側面板及び妻板等の棺本体の構成部材は別体として形成し、これらを接着等によって連結したものであってもよく、さらに、この連結に補強帯板を用いることもでき、このような構成によれば、載置状態で床に接触する部分の強度をより高いものとすることができると共に、底板と、側面板及び妻板との折り目を綺麗に形成することでよりデザイン性を高いものとすることができる。
また、各補強帯板は板厚を統一することで完成された棺の補強部分を面一に形成し、外観をスマートなものとしているが、これに限らず例えば棺本体の開口等の補強が特に必要と思われる箇所に固定する補強帯板を他の補強帯板よりも厚いものとして形成してもよい。
各固定方法は特に限定されるものではないが、接着剤や接着テープ等の剥離紙をはがすことで接着可能なものを用いると、例えばシート状態で保管、搬送を行ない、使用前に組み立てることで保管や搬送のコストを大幅に低廉化することができる。
棺の表面デザインに関しては、例えば部分的又は全面的にシート材を貼着して高級感を高めたり、段ボール材のまま使用することで環境に優しいイメージを有するものとしたり、或いは、表面に絵柄やメッセージの書き込みを可能なものとしたりと、使用者の要求等に応じたものを選択することができる。
【符号の説明】
【００３７】
１     段ボール製棺
２     棺本体
２Ａ   開口
３     蓋
４     棺本体シート
４Ａ   側面板
４Ｂ   妻板
４Ｃ   底板
５     蓋シート
６、７、８    補強帯板
６Ａ   第一補強帯板
６Ｂ   第一補強帯板
７     第二補強帯板
８Ａ   第三補強帯板
９     係合板
Ｆ     折り目
Ｖ     Ｖ溝
【図１】
2014200579.tif 000003
【図２】
2014200579.tif 000004
【図３】
2014200579.tif 000005
【図４】
2014200579.tif 000006
【図５】
2014200579.tif 000007
【図６】
2014200579.tif 000008
【図７】
2014200579.tif 000009
【図８】
2014200579.tif 000010
【図９】
2014200579.tif 000011
【図１０】
2014200579.tif 000012
【図１１】
2014200579.tif 000013